(57)【特許請求の範囲】
【請求項１】
水の殺虫殺菌に用いられる殺虫殺菌器具であって、
水が滞留する水滞留部内に配置される基部と、
該基部の平面視略中央位置から上方に向けて突出し、かつ平面視した際に全部が該基部の外縁よりも内側に設けられ、該水滞留部内の水に接触することにより殺虫殺菌機能を発揮する本体部と、
を備え、
前記水滞留部には流出管又は流入管が接続されており、前記基部又は前記本体部には、前記流出管の内径又は前記流入管の内径のうち最大内径より長い部位が設けられ、かつ、該本体部には管理用表示部が設けられている
ことを特徴とする殺虫殺菌器具。
【請求項２】
前記本体部は、
前記基部に固定されており、少なくとも側壁に透水部が設けられ、内部には、水に接触することにより殺虫殺菌機能を発揮する水接触型固形殺虫殺菌剤が収容されている殺虫殺菌剤用容器部を有し、
前記水滞留部内に配置された状態で、該水滞留部内の水が、該殺虫殺菌剤用容器部の該透水部を介して該殺虫殺菌剤用容器部内の該水接触型固形殺虫殺菌剤に接触する
請求項１に記載の殺虫殺菌器具。
【請求項３】
前記水滞留部に、該水滞留部内の水を該水滞留部の外へ流出させる流出管が接続されている場合にあって、
該水滞留部内に配置された状態で、前記本体部の上端が、該水滞留部における流出管接続口の管底より高い位置に設定されている
請求項１又は請求項２に記載の殺虫殺菌器具。
【請求項４】
請求項１乃至請求項３のいずれか１項に記載の殺虫殺菌器具の設置方法であって、
該殺虫殺菌器具を、前記水滞留部の内壁と前記本体部とが非接触となるように該水滞留部内に配置する
ことを特徴とする殺虫殺菌器具の設置方法。
【発明の詳細な説明】
【技術分野】
【０００１】
本発明は、水の殺虫殺菌に用いられる殺虫殺菌器具、及びこれの設置方法に関するものである。
【背景技術】
【０００２】
雨水ますや貯留槽等の水が滞留する水滞留部において、ボウフラや蚊の発生を防止しようとする構成は、いくつか提案されている（例えば、特許文献１〜４参照。）。
【０００３】
特許文献１には、雨水ますの水が滞留する所要箇所に抗菌作用を有する銅部材または銅合金部材が設けられた構成が開示されている。また、特許文献２には、銅または銅合金製の管が収容された多孔を有する袋からなる殺虫殺菌装置が開示されている。さらに、特許文献３には、銅板に浮揚材を取り付けたボウフラ発生防止具が開示されている。また、特許文献４には、コンクリート製桝本体内部の排水貯留部内に銅イオン発生部材が設けられている蚊発生阻止用桝が開示されている。
【先行技術文献】
【特許文献】
【０００４】
【特許文献１】特開２０００−１５４５８９号公報
【特許文献２】特開２００１−６９８９５号公報
【特許文献３】特開２００８−３８５７８号公報
【特許文献４】特開２００９−４６８６１号公報
【発明の概要】
【発明が解決しようとする課題】
【０００５】
しかしながら、上記従来構成は、次に示す問題点がある。例えば特許文献１に開示された構成は、銅部材または銅合金部材を雨水ますの内壁にガイド、フック、またはボルトを介して取り付ける必要があり、この取り付け作業が非常に面倒である。このため、銅部材の交換等に手間がかかり、メンテナンスが行いにくいという問題がある。さらに、雨水ますの内壁に銅部材等が取り付けられた状態においては、該雨水ますの内壁に凹凸が複雑かつ不規則に形成されることとなり、雨水ます内において円滑な水の流動を妨げるおそれもある。また、雨水ますの内壁に銅部材等を取り付ける構成であるため、銅部材等の殺虫殺菌効果を雨水ます内全域に波及させにくい。また、特許文献２に開示された構成は、雨水ますに流入する雨水に含まれる泥が多孔を有する袋内に堆積してしまい、該袋内の銅部材が泥に覆われて雨水ます内の水との接触が断たれ、殺虫殺菌機能が発揮されなくなるおそれがある。また、特許文献３に開示された構成は、雨水ます内の水深が浅すぎると、ボウフラ発生防止具が倒れて適切に浮遊しなくなり、場合によっては倒れた該ボウフラ発生防止具の上に砂泥等が堆積して水との接触が断たれ、殺虫殺菌効果が得られなくなるおそれがある。さらに、特許文献４に開示された構成も、雨水ますの内壁に対して銅イオン発生部材を取り付けなければならないため、取り付け作業が非常に面倒であり、該部材の交換に手間がかかるという問題がある。
【０００６】
そこで、本発明は、上記従来構成の問題を解消し、雨水ますや貯留槽等で構成される水滞留部に設置しやすく、殺虫殺菌効果が該水滞留部内において効率良く波及し、該水滞留部内の円滑な水の流動を妨げない殺虫殺菌器具、及びこれの設置方法を提供することを目的とする。
【課題を解決するための手段】
【０００７】
本発明は、水の殺虫殺菌に用いられる殺虫殺菌器具であって、水が滞留する水滞留部内に配置される基部と、該基部の平面視略中央位置から上方に向けて突出し、かつ平面視した際に全部が該基部の外縁よりも内側に設けられ、該水滞留部内の水に接触することにより殺虫殺菌機能を発揮する本体部と、を備え、前記水滞留部には流出管又は流入管が接続されており、前記基部又は前記本体部には、前記流出管の内径又は前記流入管の内径のうち最大内径より長い部位が設けられ、かつ、該本体部には管理用表示部が設けられていることを特徴とする殺虫殺菌器具である。
【０００８】
上記殺虫殺菌器具は、水滞留部である既存の雨水ますや貯留槽等に何等の加工を施す必要のない独立した簡易構造をなしており、特殊な工事を施すことなく簡単に設置可能である。このため、手間がかからず即時使用可能で実用的である。また、殺虫殺菌機能を有する本体部が前記基部の平面視略中央に配置され、しかも該本体部の全部が平面視した際に該基部の外縁よりも内側に設けられているため、仮に該殺虫殺菌器具が水滞留部内において水に押し流される等して該水滞留部内の壁際に押し出されたとしても、該水滞留部の内壁には該基部が接触するだけで、該本体部は該内壁に対して常に離間した状態となる。このため、該殺虫殺菌器具が水滞留部内に配置された状態において、常に該本体部は該水滞留部内の水に取り囲まれるため、該本体部と該水滞留部内の水との接触面積が常時十分に確保され、殺虫殺菌効果が該水滞留部内に広く波及しやすい。また、該本体部の周りにおいて円滑な水の流動も確保されやすく、さらには該水滞留部の内壁に殺虫殺菌用の部材等が別途取り付けられることがないため、該内壁に複雑で不規則な凹凸が形成されず、水の流動を阻害しない。さらにまた、該殺虫殺菌器具は、例えば作業者が上方に突出している前記本体部を掴むことで水滞留部内に配置したり、逆に該水滞留部から取り出したりすることができるため、該殺虫殺菌器具の定期的な点検や交換作業、あるいは該水滞留部の清掃作業等が非常に行いやすい。
【０００９】
また、前記本体部は、前記基部に固定されており、少なくとも側壁に透水部が設けられ、内部には、水に接触することにより殺虫殺菌機能を発揮する水接触型固形殺虫殺菌剤が収容されている殺虫殺菌剤用容器部を有し、前記水滞留部内に配置された状態で、該水滞留部内の水が、該殺虫殺菌剤用容器部の該透水部を介して該殺虫殺菌剤用容器部内の該水接触型固形殺虫殺菌剤に接触する構成が望ましい。
【００１０】
ここで、前記水接触型固形殺虫殺菌剤は、水に略全溶するまで殺虫殺菌効果が発揮される水溶性のものも、殺虫殺菌効果が失われても水に全溶せずに外形がほぼそのまま残る非水溶性のものも含まれるが、本構成は水溶性のものを適用した場合に特に有用である。すなわち、該殺虫殺菌剤用容器部内の水溶性の水接触型固形殺虫殺菌剤は、少なくとも水位より下方にある部分から水に溶解していくか、あるいは水に浮いた状態で溶解していく。そして、特に水接触型固形殺虫殺菌剤の下部が順次溶解していく場合、これに対応して該殺虫殺菌剤用容器部内の水接触型固形殺虫殺菌剤の上部は該水接触型固形殺虫殺菌剤の下部の溶解によって生じる隙間を埋めるように順次上から下降する。このため、本発明の殺虫殺菌器具にあっては、水接触型固形殺虫殺菌剤が適量だけ順次消費されることになり、殺虫殺菌効果が持続しやすく、また該水接触型固形殺虫殺菌剤の全量を無駄なく使い切ることが可能となる。
【００１１】
さらに、前記水滞留部に、該水滞留部内の水を該水滞留部の外へ流出させる流出管が接続されている場合にあって、該水滞留部内に配置された状態で、前記本体部の上端が、該水滞留部における流出管接続口の管底より高い位置に設定されていることが望ましい。
【００１２】
上記のように、少なくとも前記殺虫殺菌器具の本体部の高さが前記流出管接続口を基準にして上記位置に設定されていれば、該殺虫殺菌器具の本体部の上側が水面から露出しやすいため、例えば作業者が該本体部を容易に掴むことができ、該殺虫殺菌器具の取り出し作業、あるいは該殺虫殺菌器具の設置作業が容易となる。
【００１３】
また、本発明は、上記の殺虫殺菌器具の設置方法であって、該殺虫殺菌器具を、前記水滞留部の内壁と前記本体部とが非接触となるように該水滞留部内に配置することを特徴とする殺虫殺菌器具の設置方法である。
【００１４】
かかる構成とすることにより、前記殺虫殺菌器具の本体部周りを水滞留部内の水が自在に流動可能となるため、該水滞留部内の円滑な水の流れを阻害することがない。また、該本体部は該内壁に対して常に離間した状態となるため、該殺虫殺菌器具が水滞留部内に配置された状態において、常に該本体部は該水滞留部内の水に取り囲まれる。このため、該本体部と該水滞留部内の水との接触面積が常時十分に確保されることになり、殺虫殺菌効果が該水滞留部内に広く波及しやすい。
【発明の効果】
【００１５】
本発明の殺虫殺菌器具は、既存の雨水ますや貯留槽等で構成される水滞留部に対して独立した簡易構造をなし、該水滞留部に簡便に設置できるため非常に実用的である。また、該殺虫殺菌器具が水滞留部内に配置された状態で、該水滞留部内の円滑な水の流動を妨げることがなく、また殺虫殺菌効果が波及しやすい効果もある。また、上方に突出した本体部の上側を把持して、該殺虫殺菌器具を水滞留部内へ設置したり該水滞留部から取り出したりすることが容易にできる効果もある。さらに、本発明の殺虫殺菌器具の設置方法は、水滞留部内の円滑な水の流れを阻害することなく殺虫殺菌効果を効率良く発揮させることができる効果がある。
【図面の簡単な説明】
【００１６】
【図１】実施例１にかかる殺虫殺菌器具を示す外観斜視図。
【図２】殺虫殺菌器具の分解斜視図。
【図３】殺虫殺菌器具を用いた殺虫殺菌システムを示す縦断面図。
【図４】図３のＡ−Ａ線断面図。
【図５】実施例２にかかる殺虫殺菌器具を示す縦断面図。
【図６】実施例３にかかる殺虫殺菌器具を示す縦断面図。
【図７】実施例４にかかる殺虫殺菌器具を示す部分斜視図。
【図８】実施例５にかかる殺虫殺菌器具を示す部分分解斜視図。
【発明を実施するための形態】
【００１７】
以下、本発明の殺虫殺菌器具等を具体化した実施例を詳細に説明する。なお、本発明は、下記に示す実施例に限定されることはなく、適宜設計変更が可能である。
【００１８】
（実施例１）
図１，２に示すように、殺虫殺菌器具１Ａは、基部２０Ａと、本体部３０Ａと、を備えている。図２に示すように、該基部２０Ａは、円盤状の板材からなり、さらにその平面視略中央位置には、有底筒状の固定部３１が上方に向けて突出するように設けられている。さらに、該固定部３１の外周には、該固定部３１の外周方向に沿うネジ溝が形成されている。なお、該基部２０Ａの材料は特に限定されないが、１よりも比重が大きく水に沈む材料からなることが望ましい。
【００１９】
また、図２に示すように、前記本体部３０Ａは、ゴム製のＯリング３２、円環状のパッキン３３、さらに、上下方向に貫通した貫通孔３４Ａを有する固定具３４、透明な樹脂材料からなる殺虫殺菌剤用容器部３５、及びキャップ３６を有している。ここで、該殺虫殺菌剤用容器部３５は、前記基部２０Ａより細径で長尺状の円筒部材からなり、その側壁には横長スリットからなる透水部３７が複数設けられている。また、該固定具３４の内周面には、前記基部２０Ａの固定部３１に螺着するネジ溝が形成されている。
【００２０】
さらに、前記本体部３０Ａにおける前記Ｏリング３２、前記パッキン３３、及び前記キャップ３６は、前記殺虫殺菌剤用容器部３５の外周に装着可能な寸法に設定されている。また、前記固定具３４の貫通孔３４Ａは、該殺虫殺菌剤用容器部３５の下端部が挿通自在な寸法に設定されている。また、前記基部２０Ａの固定部３１の内径は、該殺虫殺菌剤用容器部３５の下端が挿入可能な寸法に設定されている。
【００２１】
上記構成にあって、殺虫殺菌器具１Ａは、以下のようにして組み立てられる。
まず、前記基部２０Ａの固定部３１の上端に、前記Ｏリング３２が配置される。また、前記殺虫殺菌剤用容器部３５の下端部が固定具３４の貫通孔３４Ａに挿入された上で、該下端部に前記パッキン３３が装着される。そして、該殺虫殺菌剤用容器部３５の下端部が前記基部２０Ａの固定部３１内に挿入され、前記固定具３４と前記基部２０Ａの固定部３１とがＯリング３２及びパッキン３３が介在した状態でネジ止めされ、該基部２０Ａに該殺虫殺菌剤用容器部３５が起立状に固定される。また、該殺虫殺菌剤用容器部３５内には、水溶性の水接触型固形殺虫殺菌剤Ｘが充填される。また、該殺虫殺菌剤用容器部３５の上端開口にはキャップ３６が装着される。なお、この状態で該殺虫殺菌器具１Ａを平面視した場合、前記本体部３０Ａの全部は、前記基部２０Ａの外縁よりも内側に設けられている。
【００２２】
前記水接触型固形殺虫殺菌剤Ｘは、ボウフラや蚊等の発生を防止する公知技術の殺虫殺菌剤が好適に用いられるが、水に略全溶するまで殺虫殺菌効果が発揮される水溶性のものであって、既に市販されている多数の粒の集合体である銀系無菌抗菌剤（例えば、商品名：ノバロン  東亞合成株式会社製）が特に望ましい。該水接触型固形殺虫殺菌剤Ｘは、固定部３１に取り付けられた殺虫殺菌剤用容器部３５の上端開口から投入されて該殺虫殺菌剤用容器部３５内に充填されるようにしてもよいし、該水接触型固形殺虫殺菌剤Ｘが該固定部３１内に置かれた後、キャップ３６が既に取り付けられた殺虫殺菌剤用容器部３５が該固定部３１内に嵌入されることにより該殺虫殺菌剤用容器部３５内に収容されるようにしてもよい。
【００２３】
図３に示すように、上記殺虫殺菌器具１Ａは、例えば既存の雨水ます（水滞留部）４０内に設置される。
該雨水ます４０は、雨水ます本体４１と、該雨水ます本体４１の上部に配置されるグレーチング４２とで構成されている。また、該雨水ます４０の側壁には、単一の流出管４３、及び単一の流入管４４が接続されている。
【００２４】
そして、前記グレーチング４２が外された上で前記殺虫殺菌器具１Ａが該雨水ます本体４１の上部開口を介して該雨水ます本体４１の底部における平面視略中央位置に配置され、再度グレーチング４２が適正に取り付けられることにより、該雨水ます４０と、該雨水ます４０内に配置された殺虫殺菌器具１Ａと、からなる殺虫殺菌システム１０が適切に構成される。この際、作業者は該殺虫殺菌器具１Ａの本体部３０Ａの上側（キャップ３６側）を掴んで該雨水ます４０内に該殺虫殺菌器具１Ａを設置すればよい。更に、該殺虫殺菌器具１Ａを取り出す際も同様に本体部３０Ａの上側（キャップ３６側）を掴めばよい。このため、作業者は該雨水ます本体４１の底面にまで手を伸ばす必要がない。
【００２５】
なお、前記殺虫殺菌システム１０において、前記本体部３０Ａの上端は、該雨水ます４０に接続された流出管４３における流出管接続口４３Ａの管底より高い位置となるように設定される。ここで、該流出管４３における流出管接続口４３Ａの管底とは、該流出管４３において水が流れる内周面側の最も下の部分をいう。
【００２６】
上記殺虫殺菌システム１０にあって、雨水ます４０内に水が滞留すると、前記殺虫殺菌器具１Ａの本体部３０Ａが水に浸かり、該本体部３０Ａにおける殺虫殺菌剤用容器部３５の透水部３７を介して、該殺虫殺菌剤用容器部３５内の水接触型固形殺虫殺菌剤Ｘが水に接触する。そして、該水接触型固形殺虫殺菌剤Ｘが水に溶解することで、該雨水ます４０内の水に対して殺虫殺菌効果が波及する。
【００２７】
図４に示すように、上記構成の殺虫殺菌器具１Ａは、本体部３０Ａが前記基部２０Ａの平面視略中央位置に配置され、かつ該本体部３０Ａの全部が平面視した際に該基部２０Ａの外縁よりも内側に設けられているため、仮に該基部２０Ａが雨水ます４０の内壁に接触した状態となっても、該本体部３０Ａは該内壁に対して間隔をおいて配置される。このように、雨水ます４０内に殺虫殺菌器具１Ａが配置された状態で常に前記本体部３０Ａが雨水ます４０の内壁に対して非接触であると、該本体部３０Ａ周りを雨水ます４０内の水が自在に流動可能となると共に、該雨水ます４０の内壁には複雑で不規則な凹凸が形成されることがないため、雨水ます４０内の円滑な水の流動が妨げられない。また、該本体部３０Ａの全周に亘って該雨水ます４０内の水が取り囲むことになるため、該本体部３０Ａと該雨水ます４０内の水との接触面積が十分に確保されることとなり、殺虫殺菌効果が該雨水ます４０内の水に広く波及しやすい。
【００２８】
また、上記構成の殺虫殺菌器具１Ａにおいては、水接触型固形殺虫殺菌剤Ｘが持続的、かつ効率的に使用される。すなわち、前記殺虫殺菌剤用容器部３５内の水接触型固形殺虫殺菌剤Ｘは、水面下に配された下部から順に溶解し、これに対応して該水接触型固形殺虫殺菌剤Ｘの上部が前記下部の溶解によって生じる下方の隙間を埋めるように順次下降する。したがって、水接触型固形殺虫殺菌剤Ｘは適量だけ順次消費されることになり、殺虫殺菌効果が持続しやすく、また全部が水に対して易溶であるため、無駄が生じにくい。
【００２９】
また、上記のように、殺虫殺菌器具１Ａの本体部３０Ａの上端が流出管接続口４３Ａの管底より高い位置となるように設定されているから（図３参照）、該本体部３０Ａの上端が雨水ます４０内において水面から露出しやすくなり、作業者が該本体部３０Ａを確実に掴むことができる。このため、作業者は該本体部３０Ａを掴むことで殺虫殺菌器具１Ａを雨水ます４０から容易に取り出したり、あるいは雨水ます４０内へ容易に設置したりすることができる。したがって、定期的な点検や交換作業、あるいは該雨水ます４０の清掃作業等が非常に行いやすい。なお、雨水ます４０に接続された流出管４３が複数の場合は、最も低い位置に配された流出管４３における流出管接続口４３Ａの管底より該本体部３０Ａの上端が高い位置に設定されればよい。
【００３０】
また、前記本体部３０Ａの殺虫殺菌剤用容器部３５は、透明な樹脂材料で構成されるため、作業者は、収容された水接触型固形殺虫殺菌剤Ｘの残量等を容易に確認することができる。
【００３１】
（実施例２）
以下、実施例２にかかる殺虫殺菌器具１Ｂについて説明するが、実施例１と共通する部分については説明を簡略又は省略し、また図中では同じ符号を付すこととする。
【００３２】
図５に示す殺虫殺菌器具１Ｂは、基部２０Ｂの上面であって前記本体部３０Ａの周囲に、水を溜めておくことができる凹部２１が形成されている。そして、該殺虫殺菌器具１Ｂの使用状態において、仮に雨水ます４０内の水が減少してきた場合、該凹部２１内に水が溜まることで該本体部３０Ａの周りに水が集中するため、該本体部３０Ａと水との接触をできるかぎり長く確保することができる。このため、殺虫殺菌効果の持続性が向上する。なお、該凹部２１の底面は、図５に示す構成に限られず、本体部３０Ａに向けて下方傾斜する構成であってもよい。このような構成は、該凹部２１内の水を該本体部３０Ａの周りにさらに集中させることができる。
【００３３】
（実施例３）
以下、実施例３にかかる殺虫殺菌器具１Ｃについて説明するが、実施例１，２と共通する部分については説明を簡略又は省略し、また図中では同じ符号を付すこととする。
【００３４】
図６に示すように、殺虫殺菌器具１Ｃは、雨水ます４０内での転倒を防止する転倒防止ストッパー部２３を備えている。さらに詳述すると、雨水ます４０内に流入する水の強さ、あるいは該雨水ます４０の底部に堆積する泥Ｐの堆積状態によっては、該殺虫殺菌器具１Ｃが該雨水ます４０内で傾いて転倒してしまうおそれがある。そこで本実施例の構成は、このような転倒を防止すべく、該転倒防止ストッパー部２３が設けられている。該転倒防止ストッパー部２３は、本体部３０Ａの中ほどに貫通状に固定された樹脂製の円盤部材で構成されている。さらに該円盤部材は、前記基部２０Ａと略同形状及び略同寸法となるように設定されている。かかる構成とすることにより、仮に雨水ます４０の底面が傾斜して殺虫殺菌器具１Ｃが倒れかかったとしても、該転倒防止ストッパー部２３が雨水ます４０の内壁に接触することにより、該殺虫殺菌器具１Ｃの転倒を防ぐことが可能となる。このため、適切に殺虫殺菌器具１Ｃが雨水ます４０内に配置される。なお、転倒防止ストッパー部２３は、殺虫殺菌剤が練り込まれた樹脂からなる部材で構成されていたり、殺虫殺菌剤が入った袋が吊り下げられたりしていてもよく、殺虫殺菌機能が付与されてもよい。
【００３５】
（実施例４）
以下、実施例４にかかる殺虫殺菌器具１Ｄについて説明するが、実施例１〜３と共通する部分については説明を簡略又は省略し、また図中では同じ符号を付すこととする。
【００３６】
図７に示す殺虫殺菌器具１Ｄは、本体部３０Ａにおけるキャップ３６の上端面に管理用表示部３８が設けられている。さらに詳述すると、該管理用表示部３８は、前記殺虫殺菌剤用容器部３５内に収容される水接触型固形殺虫殺菌剤Ｘの製造年月日等が表示され、該キャップ３６の上端面に貼り付けられるシールにより構成されている。かかる構成とすることにより、雨水ます４０内の点検を行う作業者は、該管理用表示部３８を該雨水ます４０の上方より目視にて確認するだけで、該水接触型固形殺虫殺菌剤Ｘの交換時期等を容易に確認し、保守管理することが可能となる。なお、該管理用表示部３８は、作業者が確認し易いところであれば本体部３０Ａに配置されていても基部２０Ａに配置されていてもよい。また、その他、該本体部３０Ａや該基部２０Ａに直接文字等が印刷されていたり、刻印されたりしていてもよい。
【００３７】
（実施例５）
以下、実施例５にかかる殺虫殺菌器具１Ｅについて説明するが、実施例１〜４と共通する部分については説明を簡略又は省略し、また図中では同じ符号を付すこととする。
【００３８】
図８に示すように、殺虫殺菌器具１Ｅは、基部２０Ｃと、水と接触することにより殺虫殺菌効果を発揮する棒状の銅部材からなる本体部３０Ｂと、で構成されている。さらに詳述すると、該基部２０Ｃの平面視中央位置には、雌ネジが形成された第一係合部２５が形成されている。一方、前記本体部３０Ｂの下端には、前記第一係合部２５と螺合可能な雄ネジが形成された第二係合部３９が形成されている。そして、該第二係合部３９と該第一係合部２５とが螺着して係合することにより、該基部２０Ｃ上に本体部３０Ｂが起立状に固定される。そして、該殺虫殺菌器具１Ｅが雨水ます４０内に配置されて該本体部３０Ｂが該雨水ます４０内の水と接触すると、該雨水ます４０内の水に対して殺虫殺菌効果が発揮される。
【００３９】
上述した殺虫殺菌器具１Ａ〜１Ｅは、その他にも現場の状況に応じて適宜設計変更可能である。
【００４０】
前記基部２０Ａ〜２０Ｃの平面形状は、多角形状であっても楕円形状であってもよい。該基部２０Ａ〜２０Ｃは、雨水ます４０に接続された流出管４３や流入管４４から殺虫殺菌器具１Ａ〜１Ｅが外部へ流出してしまうことを防止すべく、該流出管４３や該流入管４４の寸法形状より大きくなるように設定されることが望ましい。例えば、該基部２０Ａ〜２０Ｃに、流出管４３や流入管４４の最大内径より長い部位を設けておき、該基部２０Ａ〜２０Ｃが該流出管４３や該流入管４４の管端に引っ掛かりやすくしておく構成が提案される。また、該基部２０Ａ〜２０Ｃの厚み（高さ）をできる限り薄く（小さく）した構成は、前記雨水ます４０の貯水容量を過剰に小さくしてしまうことがない点で望ましい。
【００４１】
また、本体部３０Ａ，３０Ｂの外表面を適宜色分けすることによって、水接触型固形殺虫殺菌剤Ｘの消費期限等を作業者に視覚で知らせるようにしてもよい。また、殺虫殺菌剤Ｘは、上記実施例のように単体で用いられてもよいし、網状等の袋内に殺虫殺菌剤が収容されたものであってもよいし、殺虫殺菌剤が樹脂に練り込まれてなるものであってもよい。更に透水部３７の寸法形状は、水が浸入可能であり、かつ殺虫殺菌剤用容器部３５の強度が十分に確保できるものであれば特に限定されない。また、該殺虫殺菌剤用容器部３５、及びキャップ３６は、樹脂材料や銅などの殺虫殺菌機能を有する金属で構成することもできる。ただし、好ましくは樹脂材料であり、より好ましくは透明な樹脂材料である。また、該殺虫殺菌剤用容器部３５は、多数の筒部材を入れ子式に接続したテレスコピック構造とし、該殺虫殺菌剤用容器部３５を上下に伸縮させて本体部３０Ａの高さを変更自在としてもよい。
【００４２】
本発明において、前記本体部３０Ａ，３０Ｂは、該基部２０Ａ〜２０Ｃの平面視略中央位置に配置されることとなるが、これは該本体部３０Ａ，３０Ｂが該基部２０Ａ〜２０Ｃにおける厳密な中心あるいは厳密な重心に配置される必要はないという主旨である。要は、雨水ます４０内に配置された際に該本体部３０Ａ，３０Ｂが該雨水ます４０の内壁に接触せず、しかも該本体部３０Ａ，３０Ｂの周りを水が取り囲んで雨水ます４０内の水の流れを阻害しない程度であれば、該本体部３０Ａ，３０Ｂが該基部２０Ａ〜２０Ｃの中心や重心から多少ずれた位置に配置されていてもよい。また、該基部２０Ａ〜２０Ｃと該本体部３０Ａ，３０Ｂとの固定構造は、上記実施例に限定されることはなく、公知の技術に基づき様々に変更可能である。また、雨水ます４０に接続された流出管４３や流入管４４から殺虫殺菌器具１Ａ〜１Ｅが外部へ流出してしまうことを防止すべく、該本体部３０Ａ，３０Ｂの高さは、流出管４３や流入管４４の最大内径より長くなるように設定されていることが望ましい。かかる構成とすることにより、該本体部３０Ａ，３０Ｂが該流出管４３や該流入管４４の管端に引っ掛かりやすくなり、外部へ流出しにくくなる。
【００４３】
また、該殺虫殺菌器具１Ａ〜１Ｅは、水滞留部としての浸透槽内や貯留槽内等に配置されてもよく、水が滞留する可能性のあるあらゆる場所に適用することができる。
【符号の説明】
【００４４】
１Ａ〜１Ｅ      殺虫殺菌器具
１０            殺虫殺菌システム
２０Ａ〜２０Ｃ  基部
３０Ａ，３０Ｂ  本体部
３５            殺虫殺菌剤用容器部
３７            透水部
４０            雨水ます（水滞留部）
４３            流出管
４３Ａ          流出管接続口
Ｘ              水接触型固形殺虫殺菌剤
【図１】
0005726030.tif 000002
【図２】
0005726030.tif 000003
【図３】
0005726030.tif 000004
【図４】
0005726030.tif 000005
【図５】
0005726030.tif 000006
【図６】
0005726030.tif 000007
【図７】
0005726030.tif 000008
【図８】
0005726030.tif 000009